(57)【要約】【課題】書籍データ推薦の方法の提供。【解決手段】書籍データ推薦の方法は、第１装置により各第１書籍データに対して、興趣スコアを与えるか順序付けして興趣リストを形成し、第１サーバーに、各第１装置が発生した興趣スコア或いは興趣リストに基づいて、特定集合内の各第１書籍データを順序づけさせて、推薦リストを形成させ、その後、第２装置により第２書籍データを検索し、第２書籍データが集合に属するとき、第１サーバーが推薦リスト中に記録された順序により、集合内に含まれる第１書籍データを第２装置に伝送し、第２装置の使用者に向けて書籍データが属する集合中の、その他の使用者の反応が比較的興趣が有るとした書籍データを推薦する効果を達成する。【選択図】図１Ｂ
2015109087.tif 000002
【特許請求の範囲】
【請求項１】
書籍データ推薦の方法において、そのステップは、
第１サーバーは、集合が含む少なくとも一つの第１書籍データを推薦リストにおいて順序づけするステップ、
該第１サーバーに接続された第２装置が第２書籍データを検索するステップ、
該第２書籍データが該集合に属するとき、該第１サーバーが該推薦リストの順序に従い少なくとも一つの第１書籍データを該第２装置に伝送するステップ、
を含むことを特徴とする、書籍データ推薦の方法。
【請求項２】
請求項１記載の書籍データ推薦の方法において、該第１サーバーが該集合が含む該第１書籍データを該推薦リストにおいて順序付けする前に、
第１サーバーに接続された少なくとも一つの第１装置が、集合が含む少なくとも一つの第１書籍データに興趣スコアを与えるステップ、及び、
該第１サーバーは該集合が含む各第１書籍データの該興趣スコアを統計するステップ、  を含み、該第１サーバーは該興趣スコアの統計結果に基づき、該集合が含む該第１書籍データを順序付けすることを特徴とする、書籍データ推薦の方法。
【請求項３】
請求項１記載の書籍データ推薦の方法において、該第１サーバーは該集合が含む該第１書籍データを該推薦リストにおいて順序付けする前に、
第１サーバーに接続された少なくとも一つの第１装置は、集合が含む少なくとも一つの第１書籍データを興趣リストにおいて順序づけするステップ、
を含み、該第１サーバーは該興趣リストの順序付け結果に基づき、該集合が含む該第１書籍データを順序付けすることを特徴とする、書籍データ推薦の方法。
【請求項４】
請求項３記載の書籍データ推薦の方法において、該第１サーバーに接続された該第１装置は、該集合が含む該第１書籍データを興趣リストにおいて順序づけした後、該第１サーバーが該集合が含む該第１書籍データを該推薦リストにおいて順序付けする前に、
該第１サーバーが該興趣リストの順序付け結果に基づいて、該集合が含む各第１書籍データに対して順序スコアを与えるステップ、及び、
該第１サーバーが該集合が含む各第１書籍データの該順序スコアを統計するステップ、  を含み、該第１サーバーは、該順序スコアの統計結果に基づき、該集合が含む該第１書籍データを順序付けすることを特徴とする、書籍データ推薦の方法。
【請求項５】
請求項１記載の書籍データ推薦の方法において、該第１書籍データ或いは該第２書籍データは該第１サーバーに保存されることを特徴とする、書籍データ推薦の方法。
【請求項６】
請求項１記載の書籍データ推薦の方法において、該第１書籍データは第２サーバーに保存されることを特徴とする、書籍データ推薦の方法。
【請求項７】
請求項６記載の書籍データ推薦の方法において、該第１装置或いは該第２装置は該第１サーバーを介して該第２サーバーに接続されることを特徴とする、書籍データ推薦の方法。
【請求項８】
請求項６記載の書籍データ推薦の方法において、該第１装置或いは該第２装置はそれぞれ該第１サーバーと該第２サーバーに接続されることを特徴とする、書籍データ推薦の方法。
【請求項９】
請求項１記載の書籍データ推薦の方法において、該第２装置は該第１サーバーにおいて該第２書籍データを検索することを特徴とする、書籍データ推薦の方法。
【請求項１０】
請求項１記載の書籍データ推薦の方法において、該第２装置はそれぞれ該第１サーバーと第３サーバーにおいて該第２書籍データを検索することを特徴とする、書籍データ推薦の方法。
【発明の詳細な説明】
【技術分野】
【０００１】
本発明は一種の書籍データ推薦の方法に係り、特に一種の、各使用者の書籍データに対する反応の興趣と好みを分析し、特定集合内の書籍データを推薦リスト中に順序づけし、ある使用者がある書籍データを検索するとき、推薦リストの配列順序により書籍データが属する集合内のその他の書籍データを推薦するものに関する。
【背景技術】
【０００２】
現代の人類社会は知識の爆発と称される社会であり、「知識の爆発」との言葉は、二十世紀中期以降、知識の総量と増加速度がコントロールしにくくなった現象を表し、また、知識の爆発が発生する一般的な副作用は、現代人が一般に有する「情報焦燥」であり、一般人が背負いきれない過量の情報が満ちあふれる現代にあって、人々が自身の掌握する情報が真に必要な情報ではないと認めるとき、焦燥感が必然的に発生することになる。
【０００３】
情報焦燥の現象を軽減するには、先にふるい分けした有用な情報をさらにピックアップすると、全ての情報をできるだけ吸収するのに較べて非常に効率的である。情報をふるい分けするのに有効な一つの方式は、推薦メカニズムを利用することであり、主動的に使用者が比較的必要とするであろう情報を使用者に提供することで、大幅に使用者による情報のサーチ、収集、フィルタリングの時間を節約する。
【０００４】
書籍データに関しては、有効な書籍データ推薦ツールは、使用者がスピーディーに実用的閲読リストを構築するのを助けることができる。書籍データ推薦ツールに常用されている方法は、システム開発者が書籍データを分類し、並びに各書籍データのクリック閲覧率或いは購入率を統計し、優先的に注目を集めているか或いはよく売れている書籍データを使用者に推薦する、というものであるが、しかし、上述の方法は、使用者の行為の意義を単一化し並びに回数を計算し、各使用者の実際の書籍データに対する興趣或いは好みの程度を反映せず、またある書籍データをクリック閲覧する使用者ごとに、この書籍データに対する興趣はそれぞれ異なり、また、同様に、ある書籍データを購入する使用者ごとに、この書籍データに対するお気に入りの評価もそれぞれ異なる。
【０００５】
これを鑑み、本発明は一種の新規な書籍データ推薦の方法を提供し、周知の書籍データ推薦のツールの、使用者の行為を単一化する方法から抜け出し、使用者の書籍データに対する興趣、或いはお気に入りに対し、スコア付けするか、或いは順序づける方式で、量子化し反映できるようにし、各書籍データを推薦リストに順序付けし、推薦リスト中の各書籍データの順序は後続のその他の使用者によるスコア付け或いは順序付け行為により動態で更新できるようにし、推薦リストに全体の使用者群の最近の時間点での書籍に対する興趣或いはお気に入り程度を反映する効果を維持させる。
【０００６】
これにより、本発明は一種の書籍データ推薦の方法を提出し、まず、第１装置により各第１書籍に対して興趣スコアを与えるか、順序付けして興趣リストとなし、第１サーバーに各第１装置が発生した興趣スコア或いは興趣リストにより、特定集合内の各第１書籍データを順序付けし、推薦リストを形成し、その後、第２装置により第２書籍データが検索され、第２書籍データが集合に属するとき、第１サーバーが推薦リスト中に記録された順序により、集合内に含まれる第１書籍データを第２装置に伝送し、主動的に第２装置の使用者に向けて、書籍データが属する集合中の、その他の使用者が比較的興趣があると反応した書籍データを推薦する効果を達成する。
【発明の概要】
【発明が解決しようとする課題】
【０００７】
本発明の主要な目的は、一種の書籍データ推薦の方法を提供することにあり、それは、各使用者の各書籍データに対する興趣を分析し、特定集合内の複数の書籍データを順序付けすることで、推薦リストを形成し、ある使用者がある書籍データをサーチするとき、この書籍データが属する集合を判断し、並びにこの集合の推薦リストの順序に基づき、集合内の書籍データを使用者に推薦する。
【０００８】
本発明の次の目的は、一種の書籍データ推薦の方法を提供することにあり、それは、使用者による特定書籍データのスコア付け或いは順序付けの機能を提供し、使用者はこれにより自身の書籍データに対する興趣、お気に入りを記録し、後続のサーチで書籍データを利用できるようにする。
【課題を解決するための手段】
【０００９】
上述の目的と作用効果を達成するため、本発明は一種の書籍データ推薦の方法を提出し、それは、第１サーバー及び第１サーバーに接続された少なくとも一つの第１装置と第２装置において利用され、本方法の主要なステップは、該第１サーバーが一つの集合に含まれる少なくとも一つの第１書籍データを推薦リストにおいて順序付けするステップ、該第２装置が第１装置をサーチするステップ、及び、該第２書籍データが該集合に属するとき、該第１サーバーが該推薦リストの順序に従い、少なくとも一つの第１書籍データを該第２装置に伝送するステップ、を含む。
【００１０】
該第１装置は該集合が含む該第１書籍データに対して、興趣スコアを与えるか、或いは該集合が含む該第１書籍データを興趣リストにおいて順序付けする方式により、その使用者の各書籍データに対する興趣或いはお気に入りを反映させ、該第１サーバーは各第１装置の使用者が該集合内の各第１書籍データに与えた興趣スコアを統計するか、或いは各第１装置の使用者の興趣リスト内の該集合内の各第１書籍データの順序づけ結果を総合することで、該推薦リストを構築し、該第２装置の使用者が同様に該集合に含まれる第２書籍データをサーチするときに、該推薦リストに従い、該第２装置の使用者に向けて各第１装置の使用者が比較的興趣を有するか或いは好きな程度が比較的高い各第１書籍データを推薦し、それにより該第２装置の使用者が同一集合中で現在最もその他の使用者の注目或いは好評を得ているその他の書籍をサーチする時間を節約する。
【発明の効果】
【００１１】
総合すると、本発明の書籍データ推薦の方法は、使用者が書籍データを順序付け或いはスコア付けする行為により、多数の使用者の書籍データに対する興趣、お気に入り程度を反映した推薦リストを得て、並びにある使用者がある書籍データを検索するとき、推薦リストに基づき、この書籍データが属する集合内のその他の書籍データを主動的に使用者に推薦することで、使用者が書籍データをサーチするのに必要な時間を節約する目的を達成する。
【図面の簡単な説明】
【００１２】
【図１Ａ】本発明の好ましい実施例の構成要素関係図である。
【図１Ｂ】本発明の好ましい実施例のステップフローチャートである。
【図２Ａ】本発明の別の好ましい実施例の構成要素関係図である。
【図２Ｂ】本発明の別の好ましい実施例のステップフローチャートである。
【図３】本発明のまた別の好ましい実施例の構成要素関係図である。
【図４Ａ】本発明のさらにまた別の好ましい実施例の構成要素関係図である。
【図４Ｂ】本発明のさらにまた別の好ましい実施例のステップフローチャートである。
【発明を実施するための形態】
【００１３】
以下に本発明の技術内容、構造特徴、達成する目的及び作用効果について、以下に例を挙げ並びに図面を組み合わせて詳細に説明する。
【００１４】
本発明は一種の書籍データ推薦の方法であり、その特色は、本発明はサーバーにより、各使用者がスコア付け或いは順序付けの方式で各書籍データに対して反映した興趣とお気に入りを分析し、特定集合内の複数の書籍データを順序付けし、推薦リストを形成し、ある使用者がある書籍データを検索するとき、この書籍データが属する集合を判断し、並びにこの集合の推薦リストの順序に従い、集合内の書籍データを使用者に推薦し、周知の書籍データ推薦の方法に較べ、本発明は比較的正確に、使用者の興趣或いはお気に入りの程度を反映した推薦リストを得られ、このほか、使用者はこれにより自身の各書籍データに対する興趣、お気に入りを記録することができ、後続のサーチにおいて書籍データを利用することができるようにする。
【００１５】
図１Ａと図１Ｂを共に参照されたい。それは本発明の第１実施例の構成要素関係表示図及びステップフローチャートである。図１Ａに示されるように、本発明の書籍データ推薦の方法は、少なくとも、第１装置１、第２装置２及び第１サーバー３を含む。該第１装置１と該第２装置２はそれぞれ該第１サーバー３に接続されている。該第１サーバー３内には集合３０と推薦リスト３２が記録され、該集合３０は複数の第１書籍データ３００、３０２、３０４及び第２書籍データ３０６を含み、該推薦リスト３２は該集合３０内に含まれるこれら第１書籍データ３００、３０２、３０４の順序を記録する。また、これら第１書籍データ３００、３０２、３０４或いは第２書籍データ３０６は書籍名、出版社名、書籍目録、書籍前書き、書籍キャッチコピー、電子一部内容或いは電子全文を含み得る。
【００１６】
図１Ｂに示されるように、本発明の書籍データ推薦の方法は少なくとも以下のステップを含む。
【００１７】
ステップＳ２０：第１サーバーが集合が含む第１書籍データを推薦リストにおいて順序付けする。
【００１８】
ステップＳ３０：第１サーバーに接続された第２装置が第２書籍データを検索する。
【００１９】
ステップＳ４０：第２書籍データが集合に属するとき、第１サーバーが推薦リストの順序に従い第１書籍データを第２装置に伝送する。
【００２０】
本実施例中、これら第１書籍データ３００、３０２、３０４と該第２書籍データ３０６は該第１サーバー３に保存され、該第１装置１或いは該第２装置２は、該第１サーバー３によりこれら第１書籍データ３００、３０２、３０４或いは該第２書籍データ３０６を読み取られるか検索され得る。ステップＳ２０中、該第１サーバー３は該集合３０が含むこれら第１書籍データ３００、３０２、３０４を順序付けし、並びに順序付け結果を該推薦リスト３２に記録する。ステップＳ３０中、該第２装置２の使用者は該第１サーバー３において該第２書籍データ３０６を検索する。ステップＳ４０中、該第１サーバー３は該第２書籍データ３０６が該集合３０に属すると判断すると、該推薦リスト３２の順序に従い、これら第１書籍データ３００、３０２、３０４を該第２装置２に伝送する。
【００２１】
上述の構成要素の設置とステップＳ２０からステップＳ４０の実施により、本発明の書籍データ推薦の方法は、該第１サーバー３により各書籍データを保存し並びに各集合と各推薦リストの状況を記録するのに応用され、使用者に書籍データを推薦するツールとされ得て、該第２装置２の使用者が該第２書籍データ３０６を検索するとき、該第２書籍データ３０６が所属する該集合３０中のその他のこれら第１書籍データ３００、３０２、３０４を、該推薦リスト３２の記録する順序に従い、該第２装置２の使用者に推薦し、該第２装置２の使用者に推薦されたこれら第１書籍データを獲得させ、並びに該第２装置２の使用者がこれら第１書籍データを収集するのに必要な時間を節約する。また、もし、該集合３０が含むこれら第１書籍データの数量が過多であれば、プログラム開発者或いは該第２装置２の使用者の設定に照らして、該推薦リスト３２の順序に従い固定数量のこれら第１書籍データを推薦する。
【００２２】
図２Ａと図２Ｂを共に参照されたい。それは本発明の第２実施例の構成要素関係表示図及びステップフローチャートである。図２Ａに示されるように、本発明の書籍データ推薦の方法は、少なくとも、第１装置１、第２装置２及び第１サーバー３を含むほか、さらに、第２サーバー４を含み、該第２サーバー４内には複数の第１書籍データ３００、３０２、３０４及び第２書籍データ３０６が保存されている。該第１装置１と該第２装置２はそれぞれ該第１サーバー３に接続され、並びに該第１サーバー３を介して間接的に該第２サーバー４に接続される。該第１サーバー３内には集合３０と推薦リスト３２が記録され、該集合３０は並びにこれら第１書籍データ３００、３０２、３０４及び該第２書籍データ３０６が該集合３０に属することを記録し、該推薦リスト３２は該集合３０内に含まれるこれら第１書籍データ３００、３０２、３０４の順序を記録する。前述したように、これら第１書籍データ３００、３０２、３０４或いは該第２書籍データ３０６は書籍名、出版社名、書籍目録、書籍前書き、書籍キャッチコピー、電子一部内容或いは電子全文を含み得る。
【００２３】
図２Ｂに示されるように、本実施例は、ステップＳ２０の前に、さらに以下のステップを含む。
【００２４】
ステップＳ１００：第１サーバーに接続された第１装置が集合に含まれる第１書籍データに対して興趣スコアを与える。
【００２５】
ステップＳ１０２：第１サーバーが集合が含む各第１書籍データの興趣スコアを統計する。
【００２６】
ステップＳ１００中、該第１装置１の使用者は、該第１装置１により該集合３０に属すると定義されたこれら第１書籍データ３００、３０２、３０４にそれぞれ興趣スコアを与え、たとえば、該第１書籍データ３００に１０ポイント、該第１書籍データ３０２に８ポイント、該第１書籍データ３０４に５ポイントを与える。ステップＳ１０２中、該第１サーバー３はこれら第１書籍データ３００、３０２、３０４の興趣スコア結果を統計し、すなわち、複数の使用者がこれら第１書籍データ３００、３０２、３０４に対してスコア付けするとき、該第１サーバー３が各使用者によるスコア付けにより発生したこれら興趣スコアに対して合計平均等の統計を行う。
【００２７】
並びに、本実施例は、さらにステップＳ１００とステップＳ１０２を含むことにより、本実施例のステップＳ２０を実施するとき、該第１サーバー３はステップＳ１０２中で形成された該（これら）興趣スコアの統計結果に基づいて該集合３０が含むこれら第１書籍データ３００、３０２、３０４を順序付けし、これら第１書籍データ３００、３０２、３０４を、該第１書籍データ３００を優先し（興趣スコアが１０ポイント）、該第１書籍データ３０２を次とし（興趣スコアが８ポイント）、該第１書籍データ３０４を最後（興趣スコアが５ポイント）とする順序で配列し、並びに該推薦リスト３２内に記録し、ステップＳ４０では、これら第１書籍データ３００、３０２、３０４を順に該第２装置２の使用者に推薦する。
【００２８】
前記構成要素の設置及びステップＳ２０からステップＳ４０の前に、追加でステップＳ１００とステップＳ１０２を実施することにより、本発明の書籍データ推薦の方法は、各書籍データがいずれも別に該第２サーバー４に保存され、且つ第１装置１と該第２装置２がいずれも該第１サーバー３を介して該第２サーバー４に接続される状況で、該第１装置１の使用者がその興趣を有するこれら第１書籍データ３００、３０２、３０４に対してスコア付けし、並びに該第１サーバー３によりこれらの興趣スコアを記録し、該第１サーバー３がこれら興趣スコアに従い該集合３０に属するこれら第１書籍データ３００、３０２、３０４を順序付けし、並びに該推薦リスト３２に記録するのに応用され得る。該第１装置１の使用者にとっては、本発明は第１装置１の使用者が書籍データを管理するツールとされ得て、該第２装置２の使用者にとっては、本発明は該第２装置２の使用者が検索する該第２書籍データ３０６が該集合３０内に属していることにより、その他の使用者が反映させた興趣に基づき、これら第１書籍データ３００、３０２、３０４を推薦し、主動的に使用者がサーチした書籍データが所属する集合中の、その他の使用者が興趣を感じた書籍データを推薦する作用効果を達成する。
【００２９】
また、該第１装置１と該第２装置２はそれぞれ独立して該第１サーバー３と該第２サーバー４に接続され、図３に示されるような本発明の第３実施例の構成要素関係表示図を形成し、この接続方式は同様に、上述のステップＳ１００からステップＳ４０の実施により、第２実施例と相似の効果を達成することができる。
【００３０】
図４Ａと図４Ｂを共に参照されたい。それは本発明の第４実施例の構成要素関係表示図及びステップフローチャートである。図４Ａに示されるように、本発明の書籍データ推薦の方法は、少なくとも、第１装置１、第２装置２及び第１サーバー３を含むほか、さらに、第３サーバー５を含み、該第１装置１と該第２装置２及び第３サーバー５はそれぞれ該第１サーバー３に接続され、該第２装置２は別に該第３サーバー５に接続されている。第１実施例で説明されたように、該第１サーバー３内には集合３０と推薦リスト３２が記録され、該集合３０は複数の第１書籍データ３００、３０２、３０４及び該第２書籍データ３０６を含み、該推薦リスト３２は該集合３０内に含まれるこれら第１書籍データ３００、３０２、３０４の順序を記録する。且つこれら第１書籍データ３００、３０２、３０４或いは該第２書籍データ３０６は書籍名、出版社名、書籍目録、書籍前書き、書籍キャッチコピー、電子一部内容或いは電子全文を含み得る。
【００３１】
図４Ｂに示されるように、本実施例はステップＳ２０の前に、さらに以下のステップを含む。
【００３２】
ステップＳ１２０：第１サーバーと接続された第１装置が集合に含まれる第１書籍データを興趣リストにおいて順序づけする。
【００３３】
ステップＳ１２０中、該第１装置１の使用者は、該第１装置１により、該集合３０に属すると定義されたこれら第１書籍データ３００、３０２、３０４を、自身のお気に入りの程度により順序づけし、これら第１書籍データ３００、３０２、３０４を、該第１書籍データ３００、該第１書籍データ３０２、該第１書籍データ３０４の順序で配列し、該第１サーバー３は並びに配列結果を興趣リスト（図示せず）に記録する。
【００３４】
本実施例はさらにステップＳ１２０を含むことにより、本実施例中のステップＳ２０を実施するとき、該第１サーバー３はステップＳ１２０中で形成した該興趣リスト内のこれら第１書籍データ３００、３０２、３０４の順序付け結果に基づき、該集合３０が含む第１書籍データ３００、３０２、３０４を順序付けし、これら第１書籍データ３００、３０２、３０４を、ステップＳ４０において、順に該第２装置２の使用者に推薦する。
【００３５】
該興趣リストの順序付け結果を利用できるようにするため、ステップＳ１２０からステップＳ２０の前に、本実施例はさらに以下のステップを含み得る。
【００３６】
ステップＳ１２２：第１サーバーが、興趣リストの順序付け結果に基づき、集合が含む各第１書籍データに順序スコア付けをする。
【００３７】
ステップＳ１２４：第１サーバーは、集合が含む各第１書籍データの順序スコアを統計する。
【００３８】
ステップＳ１２２において、該第１サーバー３はさらに、該興趣スコアの順序づけ結果を順序スコアに変換し、順序が最後の第１書籍データに最低の順序スコア１ポイントを与え、順序が最後から二番目の第１書籍データに順序スコア２ポイントを与え、他はこれにより類推されるようにし、本実施例中、該第１書籍データ３００に順序スコア３ポントを与え、該第１書籍データ３０２は順序スコア２ポイントを与え、該第１書籍データ３０４には順序スコア１ポイントを与える。ステップＳ１２４では、該第１サーバー３はこれら第１書籍データ３００、３０２、３０４の順序スコア結果を統計し、すなわち、複数の使用者がこれら第１書籍データ３００、３０２、３０４に対してスコア付けをするとき、該第１サーバー３は各使用者が行う順序付けが発生するこれら順序スコアに対して重み付け校正を行ない（全体順序付け数量が比較的少ない順序スコアは重み付けで拡大されるべきである）及び相加平均等の統計を行ない、ステップＳ２０中で、該第１サーバー３に、順序スコアの統計結果に基づき、該集合が含むこれら第１書籍データ３００、３０２、３０４を順序づけさせる。
【００３９】
上述の構成要素の設置及びステップＳ２０からステップＳ４０に追加でステップＳ１２０或いはステップＳ１２０、ステップＳ１２２及びステップＳ１２４を実施することで、該第１装置１の使用者は、その興趣を有しているこれら第１書籍データ３００、３０２、３０４に対して順序付けをし、並びに該第１サーバー３により順序づけ結果を該興趣リストに記録し、該第１サーバー３は該興趣リストに基づいて、該集合３０に属するこれら第１書籍データ３００、３０２、３０４を順序づけし、並びに該推薦リスト３２に記録する。同様に、該第１装置１の使用者に対しては、本発明は書籍データの興趣リストを管理するツールとされ得て、該第２装置２の使用者に対しては、本発明はその検索する該第２書籍データ３０６が該集合３０内に属することにより、その他の使用者が反映させたお気に入り程度に基づき、これら第１書籍データ３００、３０２、３０４を推薦でき、使用者がサーチする書籍データが属する集合中で、その他の使用者のお気に入りの程度が比較的高い書籍データを主動的に推薦する作用効果を達成する。
【００４０】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００４１】
本発明は新規性、進歩性及び産業上の利用価値を有するものであり、特許の要件を満たすことに疑いはない。
【符号の説明】
【００４２】
１  第１装置
２  第２装置
３  第１サーバー
３０  集合
３００  第１書籍データ
３０２  第１書籍データ
３０４  第１書籍データ
３０６  第２書籍データ
３２  推薦リスト
４  第２サーバー
５  第３サーバー
【図１Ａ】
2015109087.tif 000003
【図１Ｂ】
2015109087.tif 000004
【図２Ａ】
2015109087.tif 000005
【図２Ｂ】
2015109087.tif 000006
【図３】
2015109087.tif 000007
【図４Ａ】
2015109087.tif 000008
【図４Ｂ】
2015109087.tif 000009